(57)【要約】本発明は、体腔内の霧状液滴等を確実に外部へと吸引し常に鮮明な内視鏡画像を取得し得る内視鏡装置及び内視鏡システムを提供することを目的とし、そのために、内視鏡装置は、被検体内に挿入され先端部６を有する内視鏡挿入部４と、少なくとも内視鏡挿入部の先端部の外周を覆い先端部に保持される先端被覆部４０と、前記先端被覆部に開口が設けられ被検体内から発生した気体を含む流体を開口を介して被検体の外部へと排出する吸引管路４０ａと、先端被覆部が内視鏡挿入部の先端部に保持されたときに内視鏡挿入部の長軸Ａｘを中心とする回転方向における吸引管路の開口の位置を規定する位置決め部６ａ，４０ｂとを有する。
2016194648.tif 000002
【特許請求の範囲】
【請求項１】
被検体内に挿入され先端部を有する内視鏡挿入部と、
少なくとも前記内視鏡挿入部の先端部の外周を覆い前記先端部に保持される先端被覆部と、
前記先端被覆部に開口が設けられ、前記被検体内から発生した気体を含む流体を前記開口を介して当該被検体の外部へと排出する吸引管路と、
前記先端被覆部が前記内視鏡挿入部の先端部に保持されたときに、前記内視鏡挿入部の長軸を中心とする回転方向における前記吸引管路の位置を規定する位置決め部と、
を有することを特徴とする内視鏡装置。
【請求項２】
前記内視鏡挿入部は、前記被検体内の光学像を取得する観察光学系と、前記内視鏡挿入部の基端側と先端側とを連通し、前記被検体内に処置具を挿通させる第２の管路とを有し、
前記内視鏡挿入部の先端部において前記観察光学系の光軸と前記第２の管路の中心軸とを結ぶ第１の直線に対し前記観察光学系の光軸と前記第２の管路の中心軸との中点を通って直交する第２の直線を定義したとき、前記位置決め部は、前記第２の直線を挟んで前記第２の管路に対し対向する側に前記吸引管路の開口が位置するように、前記内視鏡挿入の先端部に対する前記吸引管路の開口の位置を位置決めすることを特徴とする請求項１に記載の内視鏡装置。
【請求項３】
前記位置決め部は、前記第１の直線に対し、角度９０度以上２７０度以下の範囲内に前記吸引管路の開口が位置するように位置決めすることを特徴とする請求項２に記載の内視鏡装置。
【請求項４】
前記吸引管路は、前記内視鏡挿入部の基端側で前記内視鏡挿入部の内部に挿通されていると共に、前記内視鏡挿入部の先端側で前記内視鏡挿入部の外部に露呈しており、前記吸引管路の先端に設けられた開口部を前記先端被覆部が保持していることを特徴とする請求項１に記載の内視鏡装置。
【請求項５】
前記吸引管路の管路開口が、さらに、前記先端被覆部の内表面に開口していることを特徴とする請求項１に記載の内視鏡装置。
【請求項６】
前記吸引管路の管路開口が、さらに、前記先端被覆部の外表面に開口していることを特徴とする請求項１に記載の内視鏡装置。
【請求項７】
前記吸引管路の管路開口が、さらに、前記先端被覆部の内表面及び外表面に開口していることを特徴とする請求項１に記載の内視鏡装置。
【請求項８】
前記位置決め部は、凸形状に形成される凸状部と、凹形状に形成される凹状溝部とからなり、
前記凸状部は前記先端部に前記凹状溝部は前記先端被覆部にそれぞれ設けられるか、又は前記凸状部は前記先端被覆部に前記凹状溝部は前記先端部にそれぞれ設けられることを特徴とする請求項１に記載の内視鏡装置。
【請求項９】
前記位置決め部は、前記先端部とは別体に形成されると共に、前記先端部に対して着脱自在に構成されていることを特徴とする請求項１に記載の内視鏡装置。
【請求項１０】
前記位置決め部は、全体として円環形状からなると共に、外周面上の一部に外方に向けた凸状部を有して形成されていることを特徴とする請求項１に記載の内視鏡装置。
【請求項１１】
一端が前記先端被覆部に設けられると共に、前記被検体の外部から前記被検体の内部に気体を流通させるための管路であって、前記吸引管路とは異なる第３の管路と、
前記被検体の外部に設けられ、前記第３の管路に対して気体を供給する送気装置と、
をさらに有することを特徴とする請求項１に記載の内視鏡装置。
【請求項１２】
被検体内に挿入され先端部を有する内視鏡挿入部と、
少なくとも前記内視鏡挿入部の先端部の外周を覆い前記先端部に保持される先端被覆部と、
前記先端被覆部に開口が設けられ、前記被検体の内部と前記被検体の外部とを連通させる第１の管路と、
前記先端被覆部が前記内視鏡挿入部の先端部に保持されたときに、前記内視鏡挿入部の長軸を中心とする回転方向における前記第１の管路の開口の位置を規定する位置決め部と、
前記内視鏡挿入部の基端側と先端側とを連通させる第２の管路と、
前記第２の管路を介して前記被検体の外部から前記被検体内に挿入される処置具と、
前記被検体内で前記処置具にエネルギを与えることにより当該被検体の一部を焼灼する焼灼装置と、
前記焼灼装置が前記被検体の一部を焼灼する際に生じるミストを前記第１の管路を介して前記被検体内から当該被検体の外部へと排出するために前記第１の管路が接続する吸引装置と、
を具備することを特徴とする内視鏡システム。
【発明の詳細な説明】
【技術分野】
【０００１】
この発明は、内視鏡治療が可能な内視鏡装置及び内視鏡システムに関するものである。
【背景技術】
【０００２】
従来、細長管形状の挿入部を有して構成される内視鏡は、例えば医療分野や工業用分野等において広く利用されている。このうち、医療分野において用いられる医療用内視鏡は、挿入部を被検体、例えば生体の体腔内に挿入して臓器等を観察したり、必要に応じて当該臓器等に対し内視鏡に具備される処置具挿通チャンネル（鉗子チャンネル）内に挿入した処置具（鉗子）を用いて各種の処置を施すことができるように構成されている。また、工業分野において用いられる工業用内視鏡は、挿入部を被検体、例えばジェットエンジンや工場配管等の装置若しくは設備内部に挿入して、当該被検体内の状態、例えば傷や腐蝕等の状態観察や検査等を行うことができるように構成されている。【０００３】
近年、この種の内視鏡を含む内視鏡装置や内視鏡システムを用いて行われる治療等の手技のうち、例えば早期癌治療等を目的として行われる手技には、例えばスネア等と呼ばれる金属環状部材からなる処置具を内視鏡の処置具挿通チャンネルを介して体腔内へと挿入し、当該スネア等を病変部に引っ掛けて、当該スネア等に高周波電流を流すことによって、病変部を切り取る内視鏡的粘膜切除術（Endoscopic mucosal resection：ＥＭＲ）と呼ばれる手技や、同様に、高周波電気メス等の専用処置具を用いて体腔内の病変部を切り取る内視鏡的粘膜下層剥離術（Endoscopic submucosal dissection: ＥＳＤ）等と呼ばれる種々の手技が実施されている。【０００４】
ここで、例えば上記ＥＳＤによる手技を実施した際には、例えば高周波電気メスを用いて体腔内の組織を切開し凝固させる工程において、体腔内の粘液や脂肪，生体組織等が高周波電気メスの高温によって蒸散し霧（ミスト）状となり、これが体腔内に充満して内視鏡による観察視野を妨げてしまうことがある。【０００５】
同時に、脂肪，生体組織等を含む霧状の液滴等が内視鏡の先端面に設けられる観察窓等の表面に付着することがある。すると、取得され表示される内視鏡画像は不鮮明になってしまうことがある。【０００６】
この種の脂肪，生体組織等を含む霧状の液滴等は、例えば内視鏡の先端面に設けられるノズル等から噴出される洗浄用の気体，液体等による送気送液機能をもってしても容易に洗浄しきれないのが実情である。したがって、このような場合には、例えばＥＳＤによる手技の中途において、定期的に内視鏡を体腔内から抜去して観察窓等を洗浄する必要があった。【０００７】
そこで、従来の内視鏡装置や内視鏡システムにおいては、例えばＥＳＤによる手技の中途において体腔内で脂肪，生体組織等を含む霧状液滴等が発生した場合、例えば吸引装置を作動させることによって、処置具挿通チャンネルを介して上記霧状液滴等を吸引して外部へと排出する等といった構成が考えられる。【０００８】
このような構成のものでは、体腔内に充満した上記霧状液滴等のうち処置具挿通チャンネルの先端開口近傍の霧状液滴等を吸引することはできるが、当該処置具挿通チャンネルから離れた位置、例えば観察窓等の近傍の霧状液滴等までをも確実に吸引することが困難な場合がある。すると、観察窓等の表面に霧状液滴が附着してしまう可能性は解消することができず、よって内視鏡画像が不鮮明化することを抑止することができない。【０００９】
また、従来の内視鏡装置や内視鏡システムにおいては、例えば軟性内視鏡を挿通させる内視鏡オーバーチューブ（以下単にオーバーチューブという）や内視鏡の先端に取り付けるアタッチメントユニット等を含むものがある。この場合において、上記オーバーチューブや上記先端アタッチメントユニット等には、管路を設けて構成し、当該管路にチューブの先端を接続し、当該チューブの基端を吸引装置に接続して構成することによって、上記吸引装置を作動させると、体腔内に挿入された内視鏡の先端部近傍から上記チューブを介して体腔内の上記霧状液滴等を吸引し得るような構造の内視鏡装置が、例えば日本国特許公開２０１１−６７５９７号公報等によって種々の提案が行われている。【００１０】
ところが、上記日本国特許公開２０１１−６７５９７号公報等によって開示されている内視鏡装置や内視鏡システムにおいては、例えばオーバーチューブに内視鏡を挿通させたときの内視鏡の先端面に設けられる観察窓等の構造物の位置と、オーバーチューブに設けられる吸引管路の位置との位置関係について、何ら考慮されておらず、相対的な位置が不定であるという問題点がある。【００１１】
つまり、例えば、オーバーチューブに内視鏡を挿通させたときに、内視鏡の先端面の観察窓の位置と、オーバーチューブの吸引管路の吸入口の位置とが不定であると、常に効率的な吸引を行うことができず、よって体腔内に生じた上記霧状液滴等を確実に吸引させ外部へと排除することができない場合もあり得る。【００１２】
本発明は、上述した点に鑑みてなされたものであって、その目的とするところは、ＥＳＤ等の内視鏡を用いた治療等の手技の実行中に体腔内で発生した脂肪，生体組織等を含む霧状の液滴等を、確実に外部へと吸引することができ、常に鮮明な内視鏡画像を取得することの可能な内視鏡装置及び内視鏡システムを提供することである。
【発明の開示】
【課題を解決するための手段】
【００１３】
上記目的を達成するために、本発明の一態様の内視鏡装置は、被検体内に挿入され先端部を有する内視鏡挿入部と、少なくとも前記内視鏡挿入部の先端部の外周を覆い前記先端部に保持される先端被覆部と、前記先端被覆部に開口が設けられ前記被検体内から発生した気体を含む流体を前記開口を介して当該被検体の外部へと排出する吸引管路と、前記先端被覆部が前記内視鏡挿入部の先端部に保持されたときに、前記内視鏡挿入部の長軸を中心とする回転方向における前記吸引管路の開口の位置を規定する位置決め部と、を有する。【００１４】
また、本発明の一態様の内視鏡システムは、被検体内に挿入され先端部を有する内視鏡挿入部と、少なくとも前記内視鏡挿入部の先端部の外周を覆い前記先端部に保持される先端被覆部と、前記先端被覆部に開口が設けられ、前記被検体の内部と当該被検体の外部とを連通させる第１の管路と、前記先端被覆部が前記内視鏡挿入部の先端部に保持されたときに、前記内視鏡挿入部の長軸を中心とする回転方向における前記第１の管路の開口の位置を規定する位置決め部と、前記内視鏡挿入部の基端側と先端側とを連通させる第２の管路と、前記第２の管路を介して前記被検体の外部から前記被検体内に挿入される処置具と、前記被検体内で前記処置具にエネルギを与えることにより当該被検体の一部を焼灼する焼灼装置と、前記焼灼装置が前記被検体の一部を焼灼する際に生じるミストを前記第１の管路を介して前記被検体内から当該被検体の外部へと排出するために前記第１の管路と接続する吸引装置と、を具備する。【００１５】
本発明によれば、ＥＳＤ等の内視鏡を用いた治療等の手技の実行中に体腔内で発生した脂肪，生体組織等を含む霧状の液滴等を、確実に外部へと吸引することができ、常に鮮明な内視鏡画像を取得することの可能な内視鏡装置及び内視鏡システムを提供することができる。
【図面の簡単な説明】
【００１６】
【図１】本発明の第１の実施形態の内視鏡を含む内視鏡システムの概略構成図
【図２】本発明の第１の実施形態の内視鏡装置の長軸Ａｘに沿う概略断面図
【図３】図２の［３］−［３］線に沿う断面図
【図４】本発明の第１の実施形態の一変形例の内視鏡先端部近傍を示す概略斜視図
【図５】図４に示す内視鏡先端部における断面図（図２の［３］−［３］線に相当する部位の断面図）
【図６】本発明の第２の実施形態の内視鏡装置の構成の一部を示す縦断面図
【図７】本発明の第３の実施形態の内視鏡装置における内視鏡の先端側の一部を示す要部概略斜視図
【図８】図７の内視鏡の長軸に沿う断面を示す概略断面図
【図９】図７の内視鏡装置の先端側の一部を示す要部概略斜視図
【図１０】本発明の第４の実施形態の内視鏡装置における先端側における長軸に沿う断面を示す概略断面図
【図１１】本発明の第５の実施形態の内視鏡装置の先端側の一部を長軸に沿う断面で示す概略断面図
【図１２】図１１の［１２］−［１２］線に沿う断面図
【発明を実施するための最良の形態】
【００１７】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し、図示の形態のみに限定されるものではない。【００１８】
［第１の実施形態］
まず、本発明の第１の実施形態の内視鏡装置を含む内視鏡システム全体の概略構成について、図１を用いて以下に説明する。図１は、本発明の第１の実施形態の内視鏡を含む内視鏡システムの概略構成図である。【００１９】
本実施形態の内視鏡装置を含む内視鏡システム１は、内視鏡２と、光源装置３１と、ビデオプロセッサ３２と、表示装置３５と、外部入力機器であるキーボード３６と、架台３７と、記録装置や焼灼装置等のその他の医療用外部機器３８と、先端被覆部としての内視鏡オーバーチューブ４０と、吸引装置４１等によって構成されている。【００２０】
内視鏡２は、操作部３と、挿入部（内視鏡挿入部）４と、ユニバーサルコード５等によって構成されている。このうち、挿入部４は、先端から順に先端部６，湾曲部７，可撓管部８が連設して形成された細長管形状の構成ユニットである。挿入部４の基端は、操作部３の先端に連設されている。挿入部４は、当該内視鏡２の使用時には被検体の管腔内、即ち体腔内に挿入される構成部である。なお、本実施形態においては、上記内視鏡２と、先端被覆部である内視鏡オーバーチューブ４０及び吸引装置４１によって内視鏡装置を構成している。この内視鏡装置の詳細構成は後述する。【００２１】
挿入部４の可撓管部８は、可撓性を有し中空の長尺管状部材を用いて形成され、基端側が上記操作部３の先端に連設され、先端側が湾曲部７の基端に連設されている。可撓管部８の内部には、先端部６から延出される撮像ケーブル１６（図１では不図示。後述の図２参照）等を含む各種の信号線やライトガイドケーブル（不図示），処置具チャンネル１３（図１では不図示。後述の図２参照）等が挿通配置されている。【００２２】
湾曲部７は、当該挿入部４の挿入軸に対して上下方向及び左右方向に湾曲自在に形成される構成部である。湾曲部７自体の構成は、従来一般的な内視鏡において適用されているものと同様に、例えば複数の湾曲コマを連接して構成した形態のものが適用されている。したがって、湾曲部７についての詳細構成の説明及び内部構成の図示は省略する。湾曲部７の基端側は上記可撓管部８の先端に連設されており、同湾曲部７の先端側は先端部６の基端に連設されている。なお、湾曲部７は、後述する操作部３の湾曲操作ノブ９を操作することによって、例えば上下方向及び左右方向への湾曲が自在となるように構成されている。【００２３】
先端部６は、挿入部４の長軸方向（挿入軸方向；後述する図２の符号Ａｘ参照）の最先端側に配設され、硬質部材によって構成されており、先端面及び内部に各種の構成部材を配置した構成ユニットである。【００２４】
操作部３は、使用者（ユーザ）が使用時に手によって把持し、当該内視鏡２を支持する構成部である。この操作部３の外周面上には、各種の操作を行うための複数の操作部材が配設されている。これら複数の操作部材は、使用者（ユーザ）が当該操作部３を把持したとき、その手指が届く範囲内の部位にそれぞれ配設されている。上記複数の操作部材としては、具体的には、例えば送気送液操作ボタン２４，スコープスイッチ２５，吸引操作ボタン２６，湾曲操作ノブ９等がある。【００２５】
送気送液操作ボタン２４は、挿入部４の先端部６に設けられている観察窓用ノズル１９（図１には不図示。後述の図３参照）から洗浄用の気体や液体等を選択的に噴出させるための操作部材である。【００２６】
吸引操作ボタン２６は、挿入部４の先端部６に設けられているチャンネル先端開口１３ａ（図１では不図示。後述する図３参照）から上記処置具チャンネル１３を介して体腔内の粘液等を外部に回収する際の吸引操作を行うための操作部材である。【００２７】
スコープスイッチ２５は、挿入部４の先端部６に設けられている撮像部（図１では不図示）によって取得された内視鏡画像を表示装置３５を用いて表示する際の表示形態を切り換えるための操作部材である。この撮像部は、例えば対物光学系及び撮像素子等からなる構成ユニットであり、それ自体は、従来一般的な内視鏡において適用されているものと同様のものが適用されている。したがって、撮像部についての詳細構成の説明及び内部構成の図示は省略する。【００２８】
なお、図１では図示を省略しているが、先端部６の前面には、上記撮像部の一部を構成する観察光学系の一部である観察窓１６ａが設けられている（図３参照）。この観察窓１６ａの後方には、不図示の観察光学系のうちの対物光学系及び撮像素子等が設けられている。そして、当該撮像部から後方に向けて撮像ケーブル１６が延出している（図２参照）。なお図２でも撮像部の図示は省略している）。当該撮像ケーブル１６は、上記撮像部を制御する制御信号や撮像素子から出力される画像信号等を伝送する信号ケーブルである。この撮像ケーブル１６は、挿入部４，操作部３，ユニバーサルコード５を挿通して後述するコネクタ２９（詳細後述）へと到達している。これにより、撮像部は、撮像ケーブル１，接続ケーブル３３を介してビデオプロセッサ３２と電気的に接続されている。【００２９】
上記送気送液操作ボタン２４，スコープスイッチ２５，吸引操作ボタン２６等の各操作部材は、操作部３の内部においてそれぞれが対応する複数の操作スイッチに連動している。そして、これら複数の操作スイッチは、操作部３の内部メイン基板（不図示）に実装されている。この操作部３の内部メイン基板は、ユニバーサルコード５を挿通する信号ケーブル（不図示）からコネクタ２９，接続ケーブル３３を介してビデオプロセッサ３２との間で電気的に接続されている。この構成により、上記各操作部材が使用者（ユーザ）によって操作されると、これに連動する操作スイッチからは対応する所定の指示信号が発生する。その指示信号は、ビデオプロセッサ３２へと伝達され対応する制御処理が実行される。【００３０】
一方、湾曲操作ノブ９は、操作部３の内部に配設されている湾曲操作機構（不図示）を操作するための回転操作部材である。【００３１】
操作部３に設けられる操作部材としては、上述の例示のほかにも各種の操作部材があるが、それら個々の操作部材については、従来一般に普及している通常の内視鏡と同様のものが適用されているものと同様であるので、その詳細説明及び図示は省略する。【００３２】
操作部３の先端寄りの部位には、側方から外方に向けて処置具挿入口２７が突設されている。この処置具挿入口２７は、操作部３及び挿入部４の内部に挿通配置される処置具チャンネル１３（図１では不図示。図２等を参照）に連通している。この処置具チャンネル１３は、操作部３の内部から挿入部４の内部に挿通配置され、該挿入部４の先端部６の前面に開口するチャンネル先端開口１３ａ（図１では不図示。後述する図３参照）に至るチューブ等の管状部材によって形成されている。つまり、処置具チャンネル１３は、挿入部４に設けられ、基端側の処置具挿入口２７と先端側のチャンネル先端開口１３ａとを連通させる第２の管路である。つまり、この第２の管路である処置具チャンネル１３には、外部から被検体内に挿入される処置具（不図示）が挿通される。【００３３】
使用者（ユーザ）は、内視鏡システム１の内視鏡２を介して不図示の処置具を用いた処置等を行う際には、上記処置具挿入口２７から所定の処置具を挿入し、当該処置具を上記処置具チャンネル１３内に挿通させて後、上記処置具の先端部分を上記チャンネル先端開口１３ａから挿入方向前方に向けて突出させる。これにより、処置具の先端部位を体腔内の所望の被検部位に到達させることができ、よって、治療等の各種の処置を行うことができるように構成されている。【００３４】
操作部３の側部からは、外方に向けてユニバーサルコード５が延出している。このユニバーサルコード５は、撮像ケーブル１６（図１では不図示。後述の図２参照）を含む複数の信号線（不図示）やライトガイドケーブル（不図示），送気送液チューブ１５（図１では不図示。図２参照），吸引チューブ（不図示）等が内部に挿通配置されてなるケーブル部材である。ユニバーサルコード５の先端にはコネクタ２９が設けられている。【００３５】
上記コネクタ２９には、流体管路接続口金（不図示）と、照明光供給端部であるライトガイド口金（不図示）と、電気接点部２９ａ等が設けられている。ここで、流体管路接続口金には送気送液装置３９が、ライトガイド口金には光源装置３１が、電気接点部２９ａには接続ケーブル３３の一端が、それぞれ着脱自在に接続されている。【００３６】
上記接続ケーブル３３の他端にはコネクタ３３ａが設けられていて、このコネクタ３３ａは信号処理及び制御手段であるビデオプロセッサ３２に接続されている。【００３７】
光源装置３１は、照明光を発生させる構成ユニットである。この光源装置３１には、上述したようにライトガイドケーブルが接続されている。このライトガイドケーブルは、ユニバーサルコード５内部を挿通した後、操作部３及び挿入部４の内部を挿通し、挿入部４の先端部６の内部にまで到達している。これにより、光源装置３１から出射された照明光はライトガイドケーブルによって上記先端部６内部にまで導光され、当該先端部６の前面に設けられる照明窓１４ａから前方に向けて照射されるように構成されている。【００３８】
ビデオプロセッサ３２は、本内視鏡システム１の統括的な制御を行う制御手段であり、各種の電気信号を処理する信号処理手段である。このビデオプロセッサ３２は、例えば、撮像部等を駆動するための制御信号を供給したり、操作部３の各種操作部材からの指示信号を受けて対応する制御信号を出力する。また、ビデオプロセッサ３２は、例えば、撮像部（の撮像素子）から出力された画像信号を受けて所定の信号処理を行って表示用の画像信号を生成したり記録用の画像データを生成する。そのために、ビデオプロセッサ３２の内部には、各種指示信号を受けて撮像部からの出力信号（画像信号）に対して種々の指示に対応する画像信号処理を行う画像処理部や、操作部３からの指示信号を検出する操作検出部等の電子制御回路等を構成する複数の基板ユニットが配設されている。【００３９】
表示装置３５は、上記ビデオプロセッサ３２によって生成された表示用画像信号を受けて、表示画面上に内視鏡画像を連続的に表示するための構成ユニットである。表示装置３５としては、例えば液晶表示（Liquid Crystal Display；ＬＣＤ）装置や有機エレクトロルミネッセンス（有機ＥＬ；Organic Electro-Luminescence：ＯＥＬ）表示装置等のほか、ＣＲＴ（陰極線管（ブラウン管）；Cathode Ray Tube）等を用いた一般的な表示装置が適用される。【００４０】
キーボード３６は、ビデオプロセッサ３２と電気的に接続されていて、ビデオプロセッサ３２に対して指示を入力したり、患者情報等の各種情報を入力するための外部入力機器である。なお、ビデオプロセッサ３２に接続される外部入力機器としては、上記キーボード３６のほかに、例えばマウス，トラックボール，ジョイスティック，タッチパッド等のポインティングデバイス，フットスイッチ等のほか、音声入力装置や、表示装置３５の表示画面上に配設されるタッチパネル等、既存の種々の機器を適宜適用することができ、一つの外部入力機器のみに限らず、複数の外部入力機器を同時に備えるような構成としてもよい。【００４１】
架台３７は、上記光源装置３１，ビデオプロセッサ３２，表示装置３５，外部入力機器（キーボード３６等）等の構成ユニットのほか、不使用時の内視鏡２を吊下げる等により一時的に載置するための収納載置用装置である。【００４２】
また、本内視鏡システム１には、その他の医療用外部機器３８として、記録装置や焼灼装置等を含んで構成される。このうち記録装置は、取得された内視鏡画像データ等のほか関連する各種データ、例えば患者データ等を記録するための構成部である。また、焼灼装置は、被検体内で例えば電気メス等の処置具に、例えば高周波電流等によるエネルギを与えるための医療用機器であって、具体的には例えば電気メス装置等と呼ばれる外部医療用機器である。【００４３】
また、本実施形態の内視鏡装置を含む内視鏡システム１においては、上述したように、内視鏡２と、この内視鏡２が挿通配置される先端被覆部である内視鏡オーバーチューブ４０と、吸引装置４１とによって内視鏡装置を構成している。【００４４】
上記内視鏡装置において、内視鏡オーバーチューブ（以下単にオーバーチューブという）４０は、内視鏡２の挿入部４の少なくとも先端部の外周部分を覆ように挿通し、当該挿入部４の先端部６において保持される先端被覆部である。つまり、このオーバーチューブ４０は、挿入部４に沿って長軸Ａｘに沿う方向に延出されると共に挿入部４が挿通される先端被覆部である。【００４５】
吸引装置４１は、上記オーバーチューブ４０に内挿される第１の管路である吸引管路４０ａ（図１では不図示。図２等参照。詳細は後述する）の基端側に接続されて、当該吸引管路４０ａを介して被検体（体腔）内から気体を含む流体等、具体的には例えば脂肪，生体組織等を含む霧状の液滴等を当該被検体（体腔）内から外部へと排出する機能を有する装置である。【００４６】
本実施形態の内視鏡装置を含む内視鏡システム１の概略構成は以上の通りである。上記の説明にて省略した構成については、従来一般に実用化されている内視鏡システムと同様の構成を有しているものとする。【００４７】
次に、本実施形態の内視鏡装置を含む内視鏡システム１における内視鏡装置の詳細構成のうち特に上記内視鏡２における挿入部４の先端部６の構成と、上記先端被覆部であるオーバーチューブ４０の構成について、主に図２，図３を用いて以下に説明する。図２は、上記内視鏡の挿入部を上記先端被覆部（オーバーチューブ）に挿通させた状態の本実施形態の内視鏡装置の構成について、長軸Ａｘに沿う断面の概略を示す図である。図３は、図２の［３］−［３］線に沿う断面図である。なお、図２，図３においては、内視鏡２の内部構成については、本発明の要旨に直接関連しないので、簡略化して図示している。【００４８】
本実施形態の内視鏡装置を含む内視鏡システム１において、上記内視鏡２の挿入部４の先端部６の内部には、図２に示すように、上記処置具チャンネル１３と上記送気送液チューブ１５と上記撮像ケーブル１６等が先端から基端側に向けて挿通配置されている。【００４９】
また、上記先端部６の先端面には、図３に示すように、上記チャンネル先端開口１３ａと照明窓１４ａと観察窓１６ａと観察窓用ノズル１９等が配設されている。【００５０】
そして、当該内視鏡２においては、上記先端部６の外周面上の所定の部位には、径方向外方に向けて突設するように凸状部６ａが形成されている。この凸状部６ａは、後述するように、先端被覆部であるオーバーチューブ４０の内部に内視鏡２の挿入部４が挿通配置されて、同オーバーチューブ４０が上記先端部６に対して保持された状態としときに、上記挿入部４の長軸Ａｘを中心とする回転方向における先端部６のオーバーチューブ４０に対する位置を規定するために設けられている。具体的には、上記凸状部６ａは、オーバーチューブ４０内に保持された状態の上記先端部６における観察窓１６ａが、吸引管路４０ａ（後述）に対して配置されるべき位置を規定する位置決め部の一部として機能している（詳細は後述する）。【００５１】
内視鏡２におけるその他の構成については、従来一般に普及している通常の内視鏡と同様である。【００５２】
オーバーチューブ４０は、上記内視鏡２の挿入部４を内部に挿通し得る形態のチューブ状部材である。このオーバーチューブ４０は、吸引管路４０ａと、溝部４０ｂと、管路開口４０ｃと、吸引チューブ４０ｄと、内向フランジ４０ｅと、先端開口４０ｆとを有して形成されている。【００５３】
内向フランジ４０ｅは、オーバーチューブ４０の先端に形成され、先端開口４０ｆを形成している。この先端開口４０ｆは、当該オーバーチューブ４０の内部に挿通配置される内視鏡２の挿入部４の先端部６の外径寸法よりも若干細径となるように形成されている。したがって、オーバーチューブ４０の内部に挿通配置された内視鏡２は、当該オーバーチューブ４０の先端開口４０ｆから前方に突出することのないように構成されている。【００５４】
上記オーバーチューブ４０の管状部分には、先端側から基端側に向けて軸方向に沿って内部を挿通する第１の管路である吸引管路４０ａが形成されている。この吸引管路４０ａの先端側は、上記内向フランジ４０ｅの内面側に向けて開口する管路開口４０ｃに接続されている。【００５５】
管路開口４０ｃは、上記オーバーチューブ４０の内部に内視鏡２を挿通配置したときの上記先端部６の先端面の外周縁部が隣接する部位において、上記内向フランジ４０ｅの内面（内表面）の一部位に穿設されている。これにより、当該管路開口４０ｃは、上記吸引管路４０ａの先端側の開口部となっている。【００５６】
上記管路開口４０ｃの基端側には吸引チューブ４０ｄの一端が接続されている。そして、当該吸引チューブ４０ｄの他端は吸引装置４１に接続されている。この構成により、吸引管路４０ａおよび吸引チューブ４０ｄは、上記吸引装置４１の吸引作用によって、挿入部４の先端面に隣接して配置される管路開口４０ｃを介して被検体内から気体を含む流体（脂肪，生体組織等を含む霧状の液滴等）を当該被検体の外部へと排出する機能を有している。【００５７】
一方、溝部４０ｂは、上記オーバーチューブ４０の内周面において、先端から基端まで長軸Ａｘと略平行となるように形成される凹状溝部である。上記溝部４０ｂは、当該オーバーチューブ４０に内視鏡２を挿通配置する時に上記内視鏡２における上記凸状部６ａが嵌合配置される部位である。つまり、オーバーチューブ４０の溝部４０ｂに内視鏡２の凸状部６ａが嵌合した状態となったときにのみ、同内視鏡２は長軸Ａｘに沿って、オーバーチューブ４０の内部に挿通し得るように構成されている。このような構成によって、オーバーチューブ４０の内部に挿通配置された状態の内視鏡２は、長軸Ａｘを中心とする回転方向において位置規制された状態となっている。したがって、ここで、溝部４０ｂは、上記凸状部６ａと共に、オーバーチューブ４０（先端被覆部）が先端部６に保持されたときに、挿入部４の長軸Ａｘを中心とする回転方向における吸引管路４０ａの管路開口４０ｃの位置を規定する位置決め部として機能している。【００５８】
なお、管路開口４０ｃは、上述したように、オーバーチューブ４０の内部に内視鏡２を挿通配置したとき、上記先端部６の先端面の外周縁部が隣接する部位であって、観察窓１６ａの近傍に配置されるように構成されている。【００５９】
この場合において、管路開口４０ｃは、例えば観察光学系の一部である観察窓１６ａの光軸Ｏと上記先端部６の先端面に設けられる上記チャンネル先端開口１３ａとを結ぶ第１の直線（図３の符号Ｌ１で示す点線直線）と、観察窓１６ａの光軸Ｏとチャンネル先端開口１３ａの中心軸（図３の符号１３Ａｘ）の中点を通って第１の直線Ｌ１に対して直交する第２の直線（図３の符号Ｌ２又は符号Ｌ３）を定義したとき、第２の直線Ｌ２又はＬ３に対して対向する領域に位置するよう設けられているのが望ましい。換言すると、管路開口４０ｃは、長軸Ａｘ（先端面の中心点（図３参照））を挟んで上記チャンネル先端開口１３ａの配設位置とは反対側に配設されているのが望ましい。【００６０】
一般に、上記チャンネル先端開口１３ａは、内視鏡２における上記先端部６の先端面において下方寄りの領域に配置される。そこで、上記管路開口４０ｃは、上記先端部６の先端面の上方寄りの外周縁部に隣接する部位に配置されるのが望ましい。【００６１】
上記管路開口４０ｃの配置として、具体的には例えば、内視鏡２における先端部６の先端面において、チャンネル先端開口１３ａよりも上方領域とするのが望ましい。ここで、管路開口４０ｃは、上述したように、観察窓１６ａの近傍に配置されるのが望ましいが、必ずしも観察窓１６ａの直近に隣接している必要は無く、適宜所定の部位に配置すればよい。【００６２】
換言すると、位置決め部としての凸状部６ａ及び溝部４０ｂは、観察窓１６ａの光軸Ｏと、第２の管路である処置具チャンネル１３の中心軸（図３の符号１３Ａｘ）とを直交する方向に結ぶ直線（図３の符号Ｌ１で示す点線直線）に対して、角度９０度回転した直線（図３の符号Ｌ２）以上で角度２７０度回転した直線（図３の符号Ｌ３）以下の範囲内の領域に吸引管路４０ａの管路開口４０ｃが位置するように位置決めしている。【００６３】
このように、管路開口４０ｃを先端面において上方領域に配置する構成によれば、体腔内において漂う霧状液滴等を吸引する際に、体腔内に滞留している液体等を同時に吸引してしまうようなことがなく至便である。そして、これら滞留液体等については、内視鏡２における先端部６の先端面において、下方領域に設けられる上記チャンネル先端開口１３ａからの従来の吸引機能による吸引作用にて外部への吸引が可能である。【００６４】
なお、観察窓１６ａの光軸Ｏと上記先端部６の先端面に設けられる上記チャンネル先端開口１３ａの中心軸（図３の符号１３Ａｘ）とを結ぶ第１の直線（図３の符号Ｌ１）における観察窓１６ａの光軸Ｏとチャンネル先端開口１３ａの中点を挿入部４の中心軸である長軸Ａｘが通過する場合も考えられる。【００６５】
その際、挿入部４の長軸Ａｘ（先端面の中心点（図３参照））に対してチャンネル先端開口１３ａとは対向する領域に位置するように、管路開口４０ｃが位置決めされることになる。【００６６】
このことは、さらに換言すると、次のようになる。即ち、位置決め部としての凸状部６ａ及び溝部４０ｂは、観察光学系の一部である観察窓１６ａの光軸Ｏと、第２の管路である処置具チャンネル１３の中心軸（図３の符号１３Ａｘ）とを直交する方向に結ぶ直線（図３の符号Ｌ４）に対して、角度９０度回転した直線（図３の符号Ｌ３に近似）以上で角度２７０度回転した直線（図３の符号Ｌ２に近似）以下の範囲内の領域に自身（位置決め部；凸状部６ａ及び溝部４０ｂ）を位置させると共に、長軸Ａｘを挟んで対向する側に管路開口４０ｃを位置するように位置決めしている。【００６７】
このような場合においても、体腔内において漂う霧状液滴等を吸引する際に、体腔内に滞留している液体等を同時に吸引してしまうようなことを防止できる。【００６８】
なお、ここで、上方，下方の区別としては、当該内視鏡２（の撮像部）によって取得される内視鏡画像の画面内における上方，下方に対応するものとしている。【００６９】
ここで、オーバーチューブ４０の内部に内視鏡２が挿通配置されたとき、内視鏡２における先端部６の先端面の観察窓１６ａの近傍に、オーバーチューブ４０の管路開口４０ｃが配置されるように、上記凸状部６ａと溝部４０ｂとの位置関係が規程されている（図３参照）。【００７０】
このように構成された本実施形態の内視鏡装置を含む内視鏡システム１において、内視鏡２をオーバーチューブ４０の内部に挿通配置する。このとき、上記先端部６の凸状部６ａをオーバーチューブ４０の溝部４０ｂに嵌合させ、上記先端部６を当該溝部４０ｂに沿わせて挿入する。そして、上記先端部６を、その先端面が上記オーバーチューブ４０の先端の内向フランジ４０ｅの内面に略当接する所定の位置に配置する（図２参照）。このとき、オーバーチューブ４０の管路開口４０ｃは、先端部６の先端面の観察窓１６ａの近傍に配置される（図３参照）。【００７１】
このようにしてオーバーチューブ４０の内部に挿通配置された内視鏡２を、例えば体腔内にて使用する際に、例えば処置具挿通チャンネルに挿通され上記チャンネル先端開口１３ａから前面に向けて突設される処置具により、体腔内の所望の処置対象部位に対して例えばＥＳＤ等による治療等の手技を実行したとする。【００７２】
なお、ここで、例えばＥＳＤ等による治療等の手技は、例えば被検体内に挿入した内視鏡を用いて行われる。この場合において、内視鏡における処置具チャンネルを挿通させた処置具に当該被検体内にてエネルギを与えることによって被検体の一部を焼灼等を行う処置を伴う。そのために、本実施形態の内視鏡装置を含む内視鏡システム１においては、被検体内で処置具にエネルギを与えるための焼灼装置（図１の符号３８参照）を含んで構成される。この焼灼装置自体は、従来一般的に普及している装置を適用することができ、よって、その詳細説明は省略する。【００７３】
このような処置を施すことによって、処置対象部位からは脂肪，生体組織等を含む霧（ミスト）状の液滴等が蒸散されることになる。すると、この場合において、本内視鏡システム１においては、上記処置実行のタイミングに同期させて自動的に作動する。若しくは使用者（ユーザ）が手動にて吸引装置４１を作動させるようにしてもよい。【００７４】
すると、当該吸引装置４１の作用によって、上記体腔内に蒸散した脂肪，生体組織等を含む霧状の液滴等は、上記管路開口４０ｃから吸引管路４０ａ，吸引チューブ４０ｄを介して外部へと吸い出される（排出される）。【００７５】
換言すると、上記吸引装置４１は、上記焼灼装置（図１の符号３８参照）が被検体の一部を焼灼する際に生じる脂肪，生体組織等を含む霧状の液滴等であるミストを、上記吸引管路４０ａを介して被検体内から当該被検体の外部へと排出する。【００７６】
さらに、このとき、観察窓用ノズル１９からの送気送液が行われている場合には、先端部６の先端面において、管路開口４０ｃと観察窓１６ａとの間の領域（図３の符号［Ａ］で示す領域参照）に滞留した洗浄用気体，液体等も管路開口４０ｃへと吸引される。【００７７】
またさらに、内視鏡２に備わる吸引操作ボタン２６等を用いた吸引操作を同時に行うことによって、オーバーチューブ４０内に滞留した流体等をチャンネル先端開口１３ａから吸引することもできる。【００７８】
これらの作用によって、観察窓１６ａ近傍に漂う脂肪，生体組織等を含む霧状液滴等や洗浄用気体，液体等が除去される。したがって、観察窓１６ａの後方にあって上記先端部６の内部に設けられている撮像部によって得られる内視鏡画像は、常に鮮明な画像となる。【００７９】
以上説明したように上記第１の実施形態によれば、被検体内に挿入される挿入部４の先端に先端部６を有する内視鏡２と、挿入部４の少なくとも先端部６の外周を覆い挿入部４に保持され被検体内から気体を含む流体等を当該被検体の外部へと排出するために先端側の管路開口４０ｃから基端側に接続される吸引チューブ４０ｄとの間を内挿する吸引管路４０ａを備えた先端被覆部であるオーバーチューブ４０と、上記吸引管路４０ａの基端側に接続される吸引チューブ４０ｄを介して接続される吸引装置４１とを有して構成している。【００８０】
この場合において、上記吸引管路４０ａの先端側の管路開口４０ｃは、挿入部４の先端部６の先端面に隣接する位置に配置されている。また、内視鏡２の先端部６には外周面上に凸状部６ａが設けられ、これに対応させて、オーバーチューブ４０の内周面には溝部４０ｂが設けられている。【００８１】
このような構成によって、オーバーチューブ４０（先端被覆部）が内視鏡２の挿入部４の先端部６に保持されたときには、挿入部４の長軸Ａｘを中心とする回転方向における吸引管路４０ａの位置は、位置決め部を構成する凸状部６ａ及び溝部４０ｂによって規定される。【００８２】
したがって、これにより、本実施形態の内視鏡装置を含む内視鏡システム１を用いてＥＳＤ等の治療等を行ったときには、その手技の実行中において、体腔内で発生した脂肪，生体組織等を含む霧状の液滴等は、吸引装置４１を適宜所定のタイミングにて作動させることによって、確実に外部へと吸引することができ、よって常に鮮明な内視鏡画像を取得することができる。【００８３】
なお、上記第１の実施形態においては、先端部６に位置決め部として設けられる凸状部６ａは、先端部６の外周面上において当該先端部６と一体に構成した形態を例示している。しかしながら、上記位置決め部としての凸状部６ａは、この形態に限られることはなく、その他の形態も種々考えられる。【００８４】
例えば、図４，図５は、上記第１の実施形態の内視鏡装置を含む内視鏡システムにおける内視鏡の一変形例を示す図である。このうち図４は内視鏡先端部近傍の概略斜視図である。図５は内視鏡を挿通配置した状態の先端被覆部（オーバーチューブ）の断面を示す図である。なお、図５は、図２の［３］−［３］線に相当する部位の断面である。【００８５】
上記一変形例の例示においては、一般的な形状の内視鏡の挿入部４Ａの先端部分に嵌合配置させ得る形状の円環状部材４２を別体として設けている。この円環状部材４２には、その外周面上の所定の部位に、上記第１の実施形態におけると全く同様形態の凸状部４２ａを有して形成されている。この円環状部材４２は、内視鏡２の先端部６Ａに対して着脱自在に形成されていてもよいし、内視鏡２の先端部６Ａに対して接着等の手段にて固定するようにしてもよい。その他の構成は上述の第１の実施形態と全く同様である。【００８６】
このように構成した上記一変形例によっても、上述の第１の実施形態と全く同様の効果を得ることができる。また、本変形例によれば、上記円環状部材４２を用意するのみで、従来の内視鏡を、上記第１の実施形態のような内視鏡システムに組み込むことが容易にできる。即ち、従来形態の内視鏡の先端部に、上記円環状部材４２を取り付けるのみで、これを、上記第１の実施形態で説明したオーバーチューブ４０（先端被覆部）に対応させることができる。【００８７】
また、上述の第１の実施形態及び上記一変形例においては、内視鏡の先端部側に凸状部（６ａ，４２ａ）を設け、先端被覆部側（オーバーチューブ４０側）に溝部４０ｂを設けた形態を例示しているが、この例に限られることはない。例えば、先端部側に凹溝を設け、先端被覆部側（オーバーチューブ４０側）に凸状部を設ける形態としてもよい。【００８８】
一方、上述の第１の実施形態においては、先端被覆部として、内視鏡２の挿入部４を覆うように構成されるオーバーチューブ４０を適用している。しかしながら、上記先端被覆部の具体的な形態としては、上述の形態に限られることはなく、他の形態で構成することも可能である。即ち、本発明の構成は、内視鏡２における挿入部４の少なくとも先端部６の外周部分を覆い、当該先端部６に保持されるような形態の先端被覆部であればよい。次に説明する第２の実施形態は、先端被覆部の異なる形態を例示するものである。【００８９】
［第２の実施形態］
図６は本発明の第２の実施形態の内視鏡装置の構成の一部を示す図である。詳しくは、本実施形態の内視鏡装置における内視鏡先端部及び先端被覆部の縦断面図である。図６においては、内視鏡の挿入軸（長軸Ａｘ）に沿う断面を示している。【００９０】
本実施形態の基本的な構成は、上述の第１の実施形態と略同様であって、先端被覆部の形態が異なるのみである。具体的には、上述の第１の実施形態においては、先端被覆部として内視鏡の挿入部の外面を覆うように構成したオーバーチューブ４０を例示している。本実施形態においては、内視鏡２の挿入部４の先端部６の外周を覆い先端部６に保持される先端被覆部の形態として、内視鏡先端フード４０Ａを例示している。その他の構成は、上述の第１の実施形態と略同様である。したがって、以下の説明においては、上述の第１の実施形態と同様の構成部については同じ符号を付してその説明を省略する。【００９１】
上述したように、本実施形態における先端被覆部である内視鏡先端フード４０Ａは、図６に示すように、内視鏡２の挿入部４の先端部６の先端側の外周を覆うように配設され、当該先端部６によって保持されている。【００９２】
内視鏡先端フード４０Ａは、全体として略円環形状の部材によって構成され、上記内視鏡２の挿入部４の先端部６の先端寄りの部位に装着される先端被覆部である。この内視鏡先端フード４０Ａは、上述の第１の実施形態のオーバーチューブ４０と同様に、吸引管路４０ａと、溝部４０ｂと、管路開口４０ｃと、吸引チューブ４０ｄと、内向フランジ４０ｅと、先端開口４０ｆとを有して形成されている。  内向フランジ４０ｅは、内視鏡先端フード４０Ａの先端に形成され、先端開口４０ｆを形成している。【００９３】
上記内視鏡先端フード４０Ａの内部には、挿通路である吸引管路４０ａが形成されている。この吸引管路４０ａの先端側は、上記内向フランジ４０ｅの内面側に向けて開口する管路開口４０ｃに接続されている。また、上記吸引管路４０ａの基端側には吸引チューブ４０ｄが接続されている。この吸引チューブ４０ｄの他端には吸引装置４１が接続されている。【００９４】
上記管路開口４０ｃは、上記内視鏡先端フード４０Ａを上記先端部６に装着したとき、当該先端部６の先端面の外周縁部が隣接する部位であって、上記内向フランジ４０ｅの内面（内表面）の一部位に穿設されている。この管路開口４０ｃは、上記吸引管路４０ａの先端側の開口部である。【００９５】
また、上記内視鏡先端フード４０Ａの内周面には、溝部４０ｂが長軸Ａｘと略平行に形成されている。この溝部４０ｂには、当該内視鏡先端フード４０Ａを内視鏡２の先端部６に装着した時、先端部６の凸状部６ａが嵌合配置される部位である。この構成によって、内視鏡先端フード４０Ａが先端部６に装着された内視鏡２は、長軸Ａｘを中心とする回転方向において位置規制された状態となる。そして、この状態において、管路開口４０ｃは、観察窓１６ａの近傍に配置されるように構成されている。その他の構成は、上記第１の実施形態と略同様である。【００９６】
このように構成された本実施形態の内視鏡装置を含む内視鏡システム１において、内視鏡２の先端部６に内視鏡先端フード４０Ａを装着する。このとき、上記先端部６の凸状部６ａを内視鏡先端フード４０Ａの溝部４０ｂに嵌合させた状態を維持しつつ、上記先端部６をその先端面が内視鏡先端フード４０Ａの先端の内向フランジ４０ｅの内面に略当接する所定の位置に配置する（図６参照）。このとき、内視鏡先端フード４０Ａの管路開口４０ｃは、先端部６の先端面の観察窓１６ａの近傍に配置される。以降の作用は、上述の第１の実施形態と同様である。【００９７】
以上説明したように上記第２の実施形態によれば、上述の第１の実施形態と同様の効果を得ることができる。さらに、本実施形態の構成によれば、先端被覆部の形態として、先端部６の外周の一部を覆う形態の内視鏡先端フード４０Ａとしているので、内視鏡２の挿入部４の湾曲部７等の外面を覆う形態となっていない。したがって、内視鏡２の湾曲操作を阻害するようなことがない。【００９８】
なお、本実施形態においても、上述の第１の実施形態における一変形例の形態を、全く同様に適用することができる。また、本実施形態においても、先端部側の凸状部と内視鏡先端フード側の溝部との配設形態は、それぞれ入れ替えた形態、即ち、例えば先端部側に凹溝を設け、先端被覆部側（内視鏡先端フード４０Ａ側）に凸状部を設ける形態としてもよい。【００９９】
［第３の実施形態］
図７〜図９は、本発明の第３の実施形態を示す図である。このうち図７は、本実施形態の内視鏡装置における内視鏡の先端側の一部を示す要部概略斜視図である。図８は、図７の内視鏡の長軸に沿う断面を示す概略断面図である。図９は、本実施形態の内視鏡装置の先端側の一部を示す要部概略斜視図である。図９においては、内視鏡に内視鏡先端フードを装着した状態を示している。【０１００】
本実施形態の基本的な構成は、上述の第２の実施形態と略同様であって、先端被覆部として内視鏡先端フードを用いた形態の例示である。本実施形態においては、内視鏡先端フードを適用する内視鏡の形態が若干異なる。したがって、以下の説明において、上述の第２の実施形態と同様の構成部については同じ符号を付してその説明を省略する。【０１０１】
本実施形態の内視鏡装置における内視鏡２Ｂは、基本構成は上記各実施形態と同様に、操作部，挿入部４Ｂ，ユニバーサルコード等によって構成されている。上記挿入部４Ｂは、先端から順に先端部６Ｂ，湾曲部７Ｂ，可撓管部８Ｂが連設して形成された細長管形状の構成ユニットである。【０１０２】
ここで、本実施形態の内視鏡２Ｂにおいては、図７に示すように、先端部６Ｂ及び湾曲部７Ｂの外径に比べて可撓管部８Ｂの外径が若干大径となるように構成されている。そして、湾曲部７Ｂよりも基端寄りの部位、例えば本実施形態においては図７等に示すように可撓管部８Ｂの先端寄りの外周面上に、内視鏡側吸引管路開口１２が穿設されている。この内視鏡側吸引管路開口１２は、内視鏡２Ｂの可撓管部８Ｂの内部に挿通される内視鏡側吸引管路１２ａ（図８参照）の先端側の一端が接続されている。なお、この内視鏡側吸引管路１２ａの基端側の他端は吸引装置４１に接続されている（図８参照）。【０１０３】
なお、内視鏡２Ｂの挿入部４Ｂの先端部６Ｂの先端面には、上述の各実施形態と同様に、チャンネル先端開口１３ａ，照明窓１４ａ，観察窓１６ａ，観察窓用ノズル１９等が配設されている。また、当該先端部６Ｂの先端寄りの外周面上には、凸状部６ａ（不図示）が設けられている。なお、凸状部６ａを設ける代わりに、上述の第１の実施形態の一変形例で示した円環状部材４２を用いて凸状部を具備する構成とすることもできる。【０１０４】
一方、本実施形態の内視鏡装置における先端被覆部である内視鏡先端フード４０Ｂは、基本構成は上記第２の実施形態の内視鏡先端フード４０Ａと略同様である。即ち、当該内視鏡先端フード４０Ｂは、上記第２の実施形態の内視鏡先端フード４０Ａと略同様形態の吸引管路（不図示）と管路開口４０ｃ及び溝部４０ｂ，吸引チューブ４０ｄ，内向フランジ，先端開口等を有して構成されている点において同様である。【０１０５】
そして、本実施形態においては、内視鏡先端フード４０Ｂの後方に延出する吸引チューブ４０ｄは、図９に示すように、上記内視鏡２Ｂの内視鏡側吸引管路開口１２を介して内視鏡側吸引管路１２ａに接続されている点が、上記第２の実施形態と異なる。この内視鏡側吸引管路１２ａは、従来一般的な構成の内視鏡において適用されている吸引用の流体管路（不図示）とは別系統の管路であって、具体的には脂肪，生体組織等を含む霧状液滴等を吸引するための管路として設けられているものである。【０１０６】
つまり、本実施形態の内視鏡装置における吸引管路は、挿入部４Ｂの基端側で同挿入部４Ｂの内部に挿通されている内視鏡側吸引管路１２ａと、挿入部４Ｂの先端側で同挿入部４Ｂの外部に露呈する吸引チューブ４０ｄと、内視鏡先端フード４０Ｂ（先端被覆部）を挿通する吸引管路４０ａとが連通して形成されており、上記吸引管路４０ａの先端に設けられた開口部である管路開口４０ｃを内視鏡先端フード４０Ｂ（先端被覆部）が保持している形態となっている。その他の構成は、上記第２の実施形態と略同様である。【０１０７】
このように構成された上記第３の実施形態の内視鏡装置を含む内視鏡システムにおいても、上記第２の実施形態と略同様の作用がなされることによって、略同様の効果を得ることができる。【０１０８】
さらに、本実施形態の構成によれば、内視鏡２Ｂの挿入部４Ｂの湾曲部７Ｂよりも基端側の部位に、挿入部４Ｂ内に挿通されている内視鏡側吸引管路１２ａに接続する内視鏡側吸引管路開口１２を設け、この内視鏡側吸引管路開口１２に先端被覆部である内視鏡先端フード４０Ｂから延出される吸引チューブ４０ｄを接続するように構成している。【０１０９】
この構成により、本実施形態においては、内視鏡内部に内視鏡側吸引管路１２ａを設けているので、外部に露呈されるチューブ等を最小限に抑えることができ、よって内視鏡の挿入抜去を従来形態のものと同様の操作性によって支障なく行うことができる。【０１１０】
また、本実施形態においては、湾曲部７Ｂよりも基端寄りの部位に、内視鏡側吸引管路開口１２を設け、この内視鏡側吸引管路開口１２よりも基端寄りの挿入部４Ｂ内に内視鏡側吸引管路１２ａが挿通される構成としているので、湾曲部７Ｂよりも先端側の外径を細径化することができると共に、湾曲部７Ｂの湾曲動作の自由度を広げることが可能となる。【０１１１】
なお、本実施形態においても、先端部側の凸状部と内視鏡先端フード側の溝部との配設形態は、それぞれ入れ替えた形態、即ち、例えば先端部側に凹溝を設け、先端被覆部側（内視鏡先端フード側）に凸状部を設ける形態としてもよい。【０１１２】
［第４の実施形態］
図１０は、本発明の第４の実施形態の内視鏡装置における先端側における長軸に沿う断面を示す概略断面図である。図１０においては、内視鏡に内視鏡先端フードを装着した状態を示している。【０１１３】
本実施形態の基本的な構成は、上述の第２の実施形態と略同様であって、先端被覆部としての内視鏡先端フードを用いた形態の例示である。本実施形態においては、内視鏡先端フードの形態が若干異なる。したがって、以下の説明において、上述の第２の実施形態と同様の構成部については同じ符号を付してその説明を省略する。【０１１４】
本実施形態の内視鏡装置における内視鏡の基本構成は、上記第２の実施形態と同様である（図６参照）。【０１１５】
内視鏡先端フード４０Ｃは、上記内視鏡の挿入部４の先端部６に装着され、同先端部６によって保持される先端被覆部である。この内視鏡先端フード４０Ｃの基本構成は、上記第２の実施形態と略同様であるが、以下の点において異なる。即ち、本実施形態の内視鏡装置において適用される先端被覆部である内視鏡先端フード４０Ｃの吸引管路４０ａの先端側には、図１０に示すように、上記第２の実施形態と同形態の管路開口４０ｃのほかに、第２の管路開口４０ｇが設けられている。【０１１６】
上述の第２の実施形態等の説明において述べたように、管路開口４０ｃは、当該内視鏡先端フード４０Ｃを先端部６に装着したとき、当該先端部６の先端面の外周縁部が隣接する部位であって、内向フランジ４０ｅの内面（内表面）の一部位に穿設されており、吸引管路４０ａの先端側の開口部となっている。【０１１７】
一方、上記第２の管路開口４０ｇは、吸引管路４０ａの先端側において外周側、つまり内視鏡先端フード４０Ｃの外表面に向けて設けられ、上記管路開口４０ｃと連通して吸引管路４０ａに接続されている。つまり、上記管路開口４０ｃが内側に向けて設けられた吸引管路４０ａの先端開口部である一方、上記第２の管路開口４０ｇは外側に向けて設けられた吸引管路４０ａの第２の先端開口部となっている。その他の構成は、上記第２の実施形態と略同様である。【０１１８】
このように構成された上記第４の実施形態の内視鏡装置を含む内視鏡システムにおいても、上記第２の実施形態と略同様の作用がなされることによって、略同様の効果を得ることができる。【０１１９】
さらに、本実施形態の構成によれば、先端被覆部としての内視鏡先端フード４０Ｃには、内側に向けた管路開口４０ｃに加えて、外側に向けた第２の管路開口４０ｇを設けたので、先端被覆部である内視鏡先端フード４０Ｃの外周側からの吸引も可能になる。したがって、体腔内に漂う霧状液滴等を短時間で確実により多く吸引することができる。【０１２０】
さらに、内側に向けた管路開口４０ｃのみで吸引した場合には、吸引される霧状液滴等が観察窓１６ａ等、先端部６の前面構造物の前方や近傍を通過することがある。これに対し、外側に向けた第２の管路開口４０ｇを加えて構成することによって外側からも吸引できるので、体腔内に漂う霧状液滴等が観察窓１６ａ等の前方や近傍を通過することを抑えることができる。したがって、これにより、常に鮮明な内視鏡画像を取得することができる。【０１２１】
なお、先端部６に凸状部６ａを設ける代わりに、上述の第１の実施形態の一変形例で示した円環状部材４２を用いて凸状部を備える形態としてもよい。【０１２２】
また、本実施形態においても、先端部側の凸状部と内視鏡先端フード側の溝部との配設形態は、それぞれ入れ替えた形態、即ち、例えば先端部側に凹溝を設け、先端被覆部側（内視鏡先端フード側）に凸状部を設ける形態としてもよい。【０１２３】
さらに、本実施形態の内視鏡先端フードの構造は、上記第１の実施形態の先端被覆部であるオーバーチューブ等に対してそのまま適用することは容易に可能である。【０１２４】
［第５の実施形態］
図１１，図１２は、本発明の第５の実施形態を示す図である。このうち図１１は、本実施形態の内視鏡装置の先端側の一部を長軸に沿う断面で示す概略断面図である。図１２は、図１１の［１２］−［１２］線に沿う断面図である。【０１２５】
本実施形態の基本的な構成は、上述の第２の実施形態と略同様であって、先端被覆部として内視鏡先端フードを用いた形態の例示である。本実施形態においては、内視鏡先端フードの形態が若干異なる。したがって、以下の説明において、上述の第２の実施形態と同様の構成部については同じ符号を付してその説明を省略する。【０１２６】
本実施形態の内視鏡装置における内視鏡の基本構成は、上記第２の実施形態と同様である（図６参照）。【０１２７】
内視鏡先端フード４０Ｄは、上記内視鏡の挿入部４の先端部６に装着され、同先端部６によって保持される先端被覆部である。この内視鏡先端フード４０Ｄの基本構成は、上記第２の実施形態と略同様であるが、以下の点において異なる。即ち、本実施形態の内視鏡装置において適用される先端被覆部である内視鏡先端フード４０Ｄは、図１１，図１２に示すように、吸引管路４０ａの先端側に接続される管路開口４０ｃ（上記第２の実施形態と同形態）とは別に、当該管路開口４０ｃに対して長軸Ａｘを挟んで反対側の部位に送気用管路開口４０ｈが設けられている点において異なる。【０１２８】
送気用管路開口４０ｈは、上記管路開口４０ｃと略同様に、当該内視鏡先端フード４０Ｄを先端部６に装着したとき、当該先端部６の先端面の外周縁部が隣接する部位であって、内向フランジ４０ｅの内面（内表面）の一部位に穿設されており、吸引管路４０ａ及び吸引チューブ４０ｄの先端側の開口部となっている。【０１２９】
さらに、これに伴って、本実施形態においては、上記送気用管路開口４０ｈに接続される前記吸引管路とは異なる第３の管路である送気管路４０ｋと、この送気管路４０ｋに先端側の一端が接続されて、当該内視鏡先端フード４０Ｄの後方に延出する送気チューブ４３を有している。この送気チューブ４３は、基端側の他端が例えば送気送液装置３９若しくはこの送気送液装置３９とは別途配設される不図示の送気ポンプに接続されている。【０１３０】
本実施形態における内視鏡先端フード４０Ｄにおいて、管路開口４０ｃ，吸引管路４０ａ，吸引チューブ４０ｄの各構成部と、送気用管路開口４０ｈ，送気管路４０ｋ，送気チューブ４３の各構成部とは、略同形態に形成されている。そして、吸引チューブ４０ｄは吸引装置４１に、送気チューブ４３は送気送液装置３９若しくは不図示の送気ポンプに、それぞれ接続されている。その他の構成は、上記第２の実施形態と略同様である。【０１３１】
この構成により、上記送気ポンプの作用によって送気管路４０ｋ及び送気チューブ４に後述のような気体を流通させ、挿入部４の先端面に隣接して配置される送気用管路開口４０ｈを介して被検体内に気体を供給する機能を有している。【０１３２】
このように構成された上記第５の実施形態の内視鏡装置を用いて、例えばＥＳＤ等による治療等の手技を実行する場合において、体腔内の所望の処置対象部位に対する処置を行って、当該処置対象部位から脂肪，生体組織等を含む霧（ミスト）状の液滴等が蒸散されたとする。【０１３３】
この場合において、本内視鏡システムにおいては、上記処置実行のタイミングに同期させて自動的に作動する。若しくは使用者（ユーザ）が手動にて吸引装置４１を作動させるようにしてもよい。【０１３４】
すると、当該吸引装置４１の作用によって、上記体腔内に蒸散した脂肪，生体組織等を含む霧状の液滴等は、上記管路開口４０ｃから吸引管路４０ａ，吸引チューブ４０ｄを介して外部へと吸い出される（排出される）。【０１３５】
さらに、このとき、観察窓用ノズル１９からの送気送液が行われている場合には、先端部６の先端面において、管路開口４０ｃと観察窓１６ａとの間の領域に滞留した洗浄用気体，液体等も管路開口４０ｃへと吸引される。【０１３６】
またさらに、内視鏡に備わる吸引操作ボタン等を用いた吸引操作を同時に行うことによって、内視鏡前面近傍に滞留した流体等をチャンネル先端開口１３ａから吸引することもできる。【０１３７】
これらの作用によって、観察窓１６ａ近傍に漂う脂肪，生体組織等を含む霧状液滴等や洗浄用気体，液体等が除去される。したがって、観察窓１６ａの後方にあって上記先端部６の内部に設けられている撮像部によって得られる内視鏡画像は、常に鮮明な画像となる。【０１３８】
ここで、上述したように吸引装置４１による吸引等を行われると、この吸引作用によって体腔内の圧力が減圧する方向に変化する。そこで、本実施形態においては、上記吸引装置４１による吸引作用が開始されると、これに同期させて自動的に上記送気送液装置３９若しくは不図示の送気ポンプを作動して、送気チューブ４３，送気管路４０ｋを介して送気用管路開口４０ｈから体腔内に向けて、例えば二酸化炭素等の気体を供給（送気）する。なお、この送気動作は、使用者（ユーザ）が所望のタイミングで適宜手動によって行うようにしてもよい。このような作用によって、上記吸引装置４１による吸引作用によって減圧された体腔内の圧力は回復する。【０１３９】
以上説明したように上記第５の実施形態によれば、上記各実施形態と同様の効果を得ることができる。さらに、本実施形態によれば、先端被覆部である内視鏡先端フード４０Ｄには、吸引装置４１に接続される吸引チューブ４０ｄ，吸引管路４０ａ，管路開口４０ｃを設けたほかに、上記送気送液装置３９若しくは不図示の送気ポンプに接続される送気チューブ４３，送気管路４０ｋ，送気用管路開口４０ｈを設けるように構成している。したがって、この構成により、吸引装置４１による吸引作用によって減圧された体腔内の圧力を、適宜のタイミングで送気作用を行うことによって容易に回復させることができ、体腔内圧を常に一定に保持することができる。よって、当該内視鏡装置を用いて行う手技の対象となる患者の負担を軽減することができる。【０１４０】
なお、本実施形態においても、先端部６に凸状部６ａを設ける代わりに、上述の第１の実施形態の一変形例で示した円環状部材４２を用いて凸状部を備える形態としてもよい。【０１４１】
また、本実施形態においても、先端部側の凸状部と内視鏡先端フード側の溝部との配設形態は、それぞれ入れ替えた形態、即ち、例えば先端部側に凹溝を設け、先端被覆部側（内視鏡先端フード側）に凸状部を設ける形態としてもよい。【０１４２】
さらに、本実施形態の内視鏡先端フードの構造は、上記第１の実施形態の先端被覆部であるオーバーチューブ等に対してそのまま適用することは容易に可能である。【０１４３】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。【０１４４】
本出願は、２０１５年６月３日に日本国に出願された特許出願２０１５−１１３３４１号を優先権主張の基礎として出願するものである。上記基礎出願により開示された内容は、本願の明細書と請求の範囲と図面に引用されているものである。
【産業上の利用可能性】
【０１４５】
本発明は、医療分野の内視鏡制御装置だけでなく、工業分野の内視鏡制御装置にも適用することができる。
【図１】
2016194648.tif 000003
【図２】
2016194648.tif 000004
【図３】
2016194648.tif 000005
【図４】
2016194648.tif 000006
【図５】
2016194648.tif 000007
【図６】
2016194648.tif 000008
【図７】
2016194648.tif 000009
【図８】
2016194648.tif 000010
【図９】
2016194648.tif 000011
【図１０】
2016194648.tif 000012
【図１１】
2016194648.tif 000013
【図１２】
2016194648.tif 000014
【手続補正書】
【提出日】平成29年3月7日(2017.3.7)
【手続補正１】
【補正対象書類名】明細書
【補正対象項目名】００１３
【補正方法】変更
【補正の内容】
【００１３】
上記目的を達成するために、本発明の一態様の内視鏡装置は、被検体内に挿入され先端部を有する内視鏡挿入部と、少なくとも前記内視鏡挿入部の前記先端部の外周を覆い前記先端部に保持される先端被覆部と、前記先端被覆部に開口が設けられ前記被検体の内部と前記被検体の外部とを連通させる第１の管路と、前記先端被覆部が前記内視鏡挿入部の前記先端部に保持されたときに、前記内視鏡挿入部の長軸を中心とする回転方向における前記第１の管路の開口の位置を規定する位置決め部とを有し、前記内視鏡挿入部は、前記被検体内の光学像を取得する観察光学系と、前記内視鏡挿入部の基端側と先端側とを連通し、前記被検体内に処置具を挿通させる第２の管路とを有し、前記内視鏡挿入部の前記先端部において前記観察光学系の光軸と前記第２の管路の中心軸とを結ぶ第１の直線に対し前記観察光学系の光軸と前記第２の管路の中心軸との中点を通って直交する第２の直線を定義したとき、前記位置決め部は、前記第２の直線を挟んで前記第２の管路に対し対向する側に前記第１の管路の開口が位置するように、前記内視鏡挿入部の前記先端部に対する前記第１の管路の開口の位置を位置決めする。
【手続補正２】
【補正対象書類名】明細書
【補正対象項目名】００１４
【補正方法】変更
【補正の内容】
【００１４】
また、本発明の一態様の内視鏡システムは、被検体内に挿入され先端部を有する内視鏡挿入部と、少なくとも前記内視鏡挿入部の前記先端部の外周を覆い前記先端部に保持される先端被覆部と、前記先端被覆部に開口が設けられ、前記被検体の内部と当該被検体の外部とを連通させる第１の管路と、前記先端被覆部が前記内視鏡挿入部の前記先端部に保持されたときに、前記内視鏡挿入部の長軸を中心とする回転方向における前記第１の管路の開口の位置を規定する位置決め部と、前記内視鏡挿入部の基端側と先端側とを連通させる第２の管路と、前記第２の管路を介して前記被検体の外部から前記被検体内に挿入される処置具と、前記被検体内で前記処置具にエネルギを与えることにより当該被検体の一部を焼灼する焼灼装置と、前記焼灼装置が前記被検体の一部を焼灼する際に生じるミストを前記第１の管路を介して前記被検体内から当該被検体の外部へと排出するために前記第１の管路と接続する吸引装置とを具備し、前記内視鏡挿入部は、前記被検体内の光学像を取得する観察光学系を有し、前記内視鏡挿入部の前記先端部において前記観察光学系の光軸と前記第２の管路の中心軸とを結ぶ第１の直線に対し前記観察光学系の光軸と前記第２の管路の中心軸との中点を通って直交する第２の直線を定義したとき、前記位置決め部は、前記第２の直線を挟んで前記第２の管路に対し対向する側に前記第１の管路の開口が位置するように、前記内視鏡挿入部の前記先端部に対する前記第１の管路の開口の位置を位置決めする。
【手続補正３】
【補正対象書類名】特許請求の範囲
【補正対象項目名】全文
【補正方法】変更
【補正の内容】
【特許請求の範囲】
【請求項１】
被検体内に挿入され先端部を有する内視鏡挿入部と、
少なくとも前記内視鏡挿入部の前記先端部の外周を覆い前記先端部に保持される先端被覆部と、
前記先端被覆部に開口が設けられ、前記被検体の内部と前記被検体の外部とを連通させる第１の管路と、
前記先端被覆部が前記内視鏡挿入部の前記先端部に保持されたときに、前記内視鏡挿入部の長軸を中心とする回転方向における前記第１の管路の開口の位置を規定する位置決め部と、
を有し、
前記内視鏡挿入部は、前記被検体内の光学像を取得する観察光学系と、前記内視鏡挿入部の基端側と先端側とを連通し、前記被検体内に処置具を挿通させる第２の管路とを有し、
前記内視鏡挿入部の前記先端部において前記観察光学系の光軸と前記第２の管路の中心軸とを結ぶ第１の直線に対し前記観察光学系の光軸と前記第２の管路の中心軸との中点を通って直交する第２の直線を定義したとき、前記位置決め部は、前記第２の直線を挟んで前記第２の管路に対し対向する側に前記第１の管路の開口が位置するように、前記内視鏡挿入部の前記先端部に対する前記第１の管路の開口の位置を位置決めすることを特徴とする内視鏡装置。
【請求項２】
前記位置決め部は、前記第１の直線に対し、角度９０度以上２７０度以下の範囲内に前記第１の管路の開口が位置するように位置決めすることを特徴とする請求項１に記載の内視鏡装置。
【請求項３】
前記第１の管路は、前記内視鏡挿入部の基端側で前記内視鏡挿入部の内部に挿通されていると共に、前記内視鏡挿入部の先端側で前記内視鏡挿入部の外部に露呈しており、前記第１の管路の先端に設けられた開口部を前記先端被覆部が保持していることを特徴とする請求項１に記載の内視鏡装置。
【請求項４】
前記第１の管路の開口が、さらに、前記先端被覆部の内表面に開口していることを特徴とする請求項１に記載の内視鏡装置。
【請求項５】
前記第１の管路の開口が、さらに、前記先端被覆部の外表面に開口していることを特徴とする請求項１に記載の内視鏡装置。
【請求項６】
前記第１の管路の開口が、さらに、前記先端被覆部の内表面及び外表面に開口していることを特徴とする請求項１に記載の内視鏡装置。
【請求項７】
前記位置決め部は、凸形状に形成される凸状部と、凹形状に形成される凹状溝部とからなり、
前記凸状部は前記先端部に前記凹状溝部は前記先端被覆部にそれぞれ設けられるか、又は前記凸状部は前記先端被覆部に前記凹状溝部は前記先端部にそれぞれ設けられることを特徴とする請求項１に記載の内視鏡装置。
【請求項８】
前記位置決め部は、前記先端部とは別体に形成されると共に、前記先端部に対して着脱自在に構成されていることを特徴とする請求項１に記載の内視鏡装置。
【請求項９】
前記位置決め部は、全体として円環形状からなると共に、外周面上の一部に外方に向けた凸状部を有して形成されていることを特徴とする請求項１に記載の内視鏡装置。
【請求項１０】
一端が前記先端被覆部に設けられると共に、前記被検体の外部から前記被検体の内部に気体を流通させるための管路であって、前記第１の管路とは異なる第３の管路と、
前記被検体の外部に設けられ、前記第３の管路に対して気体を供給する送気装置と、
をさらに有し、
前記第１の管路は、前記被検体内から発生した気体を含む流体を前記開口を介して前記被検体の外部へと排出する吸引管路であることを特徴とする請求項１に記載の内視鏡装置。
【請求項１１】
被検体内に挿入され先端部を有する内視鏡挿入部と、
少なくとも前記内視鏡挿入部の前記先端部の外周を覆い前記先端部に保持される先端被覆部と、
前記先端被覆部に開口が設けられ、前記被検体の内部と前記被検体の外部とを連通させる第１の管路と、
前記先端被覆部が前記内視鏡挿入部の前記先端部に保持されたときに、前記内視鏡挿入部の長軸を中心とする回転方向における前記第１の管路の開口の位置を規定する位置決め部と、
前記内視鏡挿入部の基端側と先端側とを連通させる第２の管路と、
前記第２の管路を介して前記被検体の外部から前記被検体内に挿入される処置具と、
前記被検体内で前記処置具にエネルギを与えることにより当該被検体の一部を焼灼する焼灼装置と、
前記焼灼装置が前記被検体の一部を焼灼する際に生じるミストを前記第１の管路を介して前記被検体内から当該被検体の外部へと排出するために前記第１の管路が接続する吸引装置と、
を具備し、
前記内視鏡挿入部は、前記被検体内の光学像を取得する観察光学系を有し、
前記内視鏡挿入部の前記先端部において前記観察光学系の光軸と前記第２の管路の中心軸とを結ぶ第１の直線に対し前記観察光学系の光軸と前記第２の管路の中心軸との中点を通って直交する第２の直線を定義したとき、前記位置決め部は、前記第２の直線を挟んで前記第２の管路に対し対向する側に前記第１の管路の開口が位置するように、前記内視鏡挿入部の前記先端部に対する前記第１の管路の開口の位置を位置決めすることを特徴とする内視鏡システム。
【国際調査報告】
2016194648.tif 000015
2016194648.tif 000016